(57)【要約】【課題】部品点数の削減、基板の実装面積に占める接点数の削減、信頼性の向上をはかる。【解決手段】機能の実行が制御される被制御部５０と、第１の信号線（信号線Ｂ）と、第１の信号線に電気的に接続された電源部（Ｖｂ）と、を備えた相手装置（クレードル装置３）に対して接続される電子機器（携帯電話２）であって、相手装置に装着された場合に第１の信号線と電気的に接続される第２の信号線（信号線Ａ）と、第２の信号線の電位を変化させる電圧制御部６０１と、第２の信号線が第１の信号線に電気的に接続されたときに発生する第２の信号線の電位変化に基づき相手装置へ装着されたことを検出するとともに、相手装置の被制御部の機能実行を制御する制御信号を生成し、この制御信号に基づき電圧制御部を制御して第２の信号線の電位を被制御部の機能実行を制御する電位に変化させる制御部３１と、により構成される。【選択図】図４
2008301008.tif 000002
【特許請求の範囲】
【請求項１】
機能の実行が制御される被制御部と、第１の信号線と、前記第１の信号線に電気的に接続された電源部と、を備えた相手装置に対して装着される電子機器であって、
前記電子機器が前記相手装置に装着された場合に前記第１の信号線と電気的に接続される第２の信号線と、
前記第２の信号線の電位を変化させる電圧制御部と、
前記第２の信号線が前記第１の信号線に電気的に接続されたときに発生する前記第２の信号線の電位変化に基づき前記電子機器が前記相手装置へ装着されたことを検出するとともに、前記相手装置の被制御部の機能実行を制御する制御信号を生成し、当該制御信号に基づき前記電圧制御部を制御して前記第２の信号線の電位を前記被制御部の機能実行を制御する電位に変化させる制御部と、
を有することを特徴とする電子機器。
【請求項２】
前記被制御部は、
音を出力するためのアンプである
ことを特徴とする請求項１に記載の電子機器。
【請求項３】
前記被制御部は、
発光素子である
ことを特徴とする請求項１に記載の電子機器。
【請求項４】
前記相手装置は、
前記電子機器が有する電池に対して充電を行なう充電器である
ことを特徴とする請求項１から３のいずれか１項に記載の電子機器。
【発明の詳細な説明】
【技術分野】
【０００１】
本発明は、例えば、スピーカアンプが内蔵されたクレードル装置等の相手装置に接続され、当該相手装置が有する機能を実行制御する携帯電話等の電子機器に関する。
【背景技術】
【０００２】
携帯電話は、電波の送受信等に必要な電力を得るためにバッテリパックが内蔵され、外部接続装置（以下、相手装置という）である、例えば、クレードル装置により定期的に充電を行う必要がある。
【０００３】
クレードル装置は、通常、上面に携帯電話を載置、あるいは装着可能な収容空間が形成された卓上ホルダを有し、当該卓上ホルダ内に配設された回路基板と、卓上ホルダの収容空間内に突出した携帯電話の充電用端子と、給電用の接続プラグが接続されるように回路基板に半田等により取り付けられたコネクタと、卓上ホルダの給電端子とは反対側にあって収容空間内へ突出し、携帯電話の係合溝に係合するラッチとを備えて構成される。
【０００４】
また、最近では、クレードル装置を、単に充電用として用いるだけでなく、スピーカアンプ付のウーファ等を内蔵させることにより、携帯電話がクレードル装置に装着されたときに音楽等を迫力ある音質、音量で視聴する等の利用形態が出現している。
【０００５】
また、この種利用形態に関する出願も多数なされており、例えば、携帯電話と、充電端子および外部接続端子を備えたクレードル装置とを一体型ステーションとして活用するために、クレードル装置を所定の動作モードに設定し、クレードル装置に内蔵した機能回路を動作させるクレードル付き携帯機器が知られている（例えば、特許文献１参照）。
【特許文献１】特開２００３−７５９０７号公報
【発明の開示】
【発明が解決しようとする課題】
【０００６】
上記した携帯電話とクレードル装置との間には、携帯電話がクレードル装置に装着されたことを検出するための信号線と、クレードル装置に搭載された機能回路を制御するための信号線の、少なくとも２本の信号線を必要とする。
したがって、それぞれの信号線に付随して各制御回路を必要とし、結果的に、部品点数が増大する。また、携帯電話とクレードル装置との間の接点数が多くなるため、基板に占める接点の実装面積が増え、更に、信頼性の面でも問題があった。
【０００７】
本発明は、１本の信号線により携帯電話等の装着検知とクレードル装置等相手装置が有する機能を制御することにより、部品点数の削減、基板の実装面積に占める接点数の削減、および信頼性の向上を図ることが可能な電子機器を提供することを目的とする。
【課題を解決するための手段】
【０００８】
上記した課題を解決するために本発明の電子機器は、機能の実行が制御される被制御部と、第１の信号線と、前記第１の信号線に電気的に接続された電源部と、を備えた相手装置に対して装着される電子機器であって、前記電子機器が前記相手装置に装着された場合に前記第１の信号線と電気的に接続される第２の信号線と、前記第２の信号線の電位を変化させる電圧制御部と、前記第２の信号線が前記第１の信号線に電気的に接続されたときに発生する前記第２の信号線の電位変化に基づき前記電子機器が前記相手装置へ装着されたことを検出するとともに、前記相手装置の被制御部の機能実行を制御する制御信号を生成し、当該制御信号に基づき前記電圧制御部を制御して前記第２の信号線の電位を前記被制御部の機能実行を制御する電位に変化させる制御部と、を有する。
【０００９】
また、本発明の電子機器において、前記被制御部は、好適には、音を出力するためのアンプである。
【００１０】
また、本発明の電子機器において、前記被制御部は、好適には、発光素子である。
【００１１】
また、本発明の電子機器において、前記相手装置は、好適には、前記電子機器が有する電池に対して充電を行なう充電器である。
【発明の効果】
【００１２】
本発明の電子機器によれば、１本の信号線により携帯電話の装着検知とクレードル装置等相手装置が有する機能を制御することにより、部品点数の削減、基板の実装面積に占める接点数の削減、および信頼性の向上がはかれる。
【発明を実施するための最良の形態】
【００１３】
図１は、本発明の実施形態にかかわる電子機器（ここでは携帯電話２）と、相手装置（ここではクレードル装置３）とからなる電子機器ユニット（ここでは携帯電話ユニット１）を示す、一部に透視図を含む平面図である。
図１（ａ）はクレードル装置、図１（ｂ）は閉状態における携帯電話２、図１（ｃ）は開状態における携帯電話２のそれぞれを示している。
【００１４】
図２は、携帯電話２をクレードル装置３に載置した状態を示す、一部に透視図を含む平面図であり、図２（ａ）は携帯電話２を閉状態にした場合、図２（ｂ）は携帯電話２を開状態にした場合のそれぞれを示している。
【００１５】
図３は、携帯電話２をクレードル装置３に載置した状態を示す、一部に透視図を含む側面図であり、図３（ａ）は携帯電話２を閉状態にした場合、図３（ｂ）は携帯電話２を開状態にした場合のそれぞれを示している。
【００１６】
携帯電話２は、いわゆる折り畳み式の携帯電話として構成されており、受話筐体５と、送話筐体６とを備えている。なお、受話筐体５及び送話筐体６との組み合わせは、携帯筐体の一例である。
【００１７】
受話筐体５及び送話筐体６は、それぞれの端部が連結部７により連結されており、携帯電話２は、連結部７を回動の中心として開閉可能である。受話筐体５及び送話筐体６は、それぞれ概ね薄型直方体に形成されており、閉状態では互いに重ね合わされ、一方の筐体側から他方の筐体側を見たときに互いの輪郭が略一致するようになっている。
【００１８】
受話筐体５は、例えば樹脂により略薄型直方体状に形成されている。受話筐体５には、種々の情報を画像として表示する表示部９、通話用のスピーカ３９、後述する開閉検出用センサ４２の検出対象としての磁石４１が設けられている。
【００１９】
表示部９は、例えば液晶表示ディスプレイによって構成され、受話筐体５のうち、閉状態で送話筐体６に対向する対向面に画像を表示可能である。なお、受話筐体５の背面側にも画像を表示するサブ表示部を設けてもよい。
【００２０】
通話用のスピーカ３９は、受話筐体５の連結部７とは反対側の端部５ｅの中央に設けられている。スピーカ３９は、例えばダイナミックスピーカにより構成されている。すなわち、スピーカ３９は、音響信号（電気信号）が入力されるコイルと、コイルに挿通される磁石と、コイル又は磁石に固定される振動板とを有している。
なお、スピーカ３９は、磁気を利用して音響信号を音響に変換するものでもよいし、コンデンサスピーカ等の磁気を利用しないものでもよい。また、スピーカ３９は、磁気を利用して音響信号を音響に変換するものである場合、リボンスピーカ等のダイナミックスピーカ以外のものでもよい。
【００２１】
スピーカ３９の出力した音響は、放音孔１０から出力される。放音孔１０は、スピーカ３９の位置に対応して、受話筐体５の連結部７とは反対側の端部５ｅの中央に設けられるとともに、受話筐体５の対向面に開口している。
【００２２】
送話筐体６は、例えば樹脂により略薄型直方体状に形成されている。送話筐体６には、ユーザの操作を受け付ける操作部１２、電波の送受信を行うメインアンテナ１３及びサブアンテナ１４、報知音等を出力するスピーカ１５、通話用のマイクロフォン３５、開閉検出用センサ４２が設けられている。
【００２３】
メインアンテナ１３は、送話筐体６の連結部７とは反対側の端部６ｅに内蔵されている。サブアンテナ１４は、送話筐体６の側面側であって、送話筐体６中央とメインアンテナ１３との間の位置において、送話筐体６に内蔵されている。
メインアンテナ１３及びサブアンテナ１４はダイバーシティアンテナとして構成されている。例えば、メインアンテナ１３は、送受話やメールの送受信等に用いられ、常時利用される。サブアンテナ１４は、音楽をダウンロードするときなど、音声通話時以外のデータ通信が行われるときにメインアンテナ１３と併せて利用する。
【００２４】
報知用のスピーカ１５は、送話筐体６の連結部７側の端部に設けられ、送話筐体６の側方側に２つ設けられている。スピーカ１５は、例えばダイナミックスピーカにより構成されている。すなわち、スピーカ１５は、音響信号（電気信号）が入力されるコイルと、コイルに挿通される磁石と、コイルまたは磁石に固定される振動板とを有している。
なお、スピーカ１５は、磁気を利用して音響信号を音響に変換するものでもよいし、コンデンサスピーカ等の磁気を利用しないものでもよい。また、スピーカ１５は、磁気を利用して音響信号を音響に変換するものである場合、リボンスピーカ等のダイナミックスピーカ以外のものでもよい。
【００２５】
スピーカ１５から出力された音響は、放音孔１７から出力される。放音孔１７は、スピーカ１５の位置に対応して、送話筐体６の連結部７側の端部の側方側に２つ設けられ、受話筐体５と対向する面とは反対側の面（クレードル装置３に対向する面）に開口している。なお、放音孔１７は送話筐体６の側面に開口してもよい。
【００２６】
通話用のマイクロフォン３５は、送話筐体６の連結部７とは反対側の端部６ｅの中央に設けられている。マイクロフォン３５は、例えばダイナミックマイクロフォンにより構成されている。すなわち、マイクロフォン３５は、音響信号を出力するコイルと、コイルに挿される磁石と、コイル又は磁石に固定される振動板とを有している。
なお、マイクロフォン３５は、磁気を利用して音響を音響信号に変換するものでもよいし、コンデンサマイクロフォン等の磁気を利用しないものでもよい。また、マイクロフォン３５は、磁気を利用して音響を音響信号に変換するものである場合、リボンマイクロフォン等のダイナミックマイクロフォン以外のものでもよい。
【００２７】
マイクロフォン３５には、集音孔１６を介して音響が入力される。集音孔１６は、マイクロフォン３５の位置に対応して、送話筐体６のうち、連結部７とは反対側の端部６ｅの中央に設けられ、受話筐体５に対向する対向面に開口している。
【００２８】
開閉検出用センサ４２は、磁気センサにより構成されている。例えば、開閉検出用センサ４２は、ホールＩＣや磁気抵抗素子を含んで構成され、検出した磁界の所定方向の強さに応じた電位の信号を出力する。
開閉検出用センサ４２は、送話筐体６において、長手方向の中央付近（連結部７から、連結部７とは反対側の端部６ｅまでの間の中央付近）であって、側方側に設けられている。
【００２９】
受話筐体５のうち、閉状態にしたときに、開閉検出用センサ４２と対向する位置には、前述の磁石４１が設けられている。
従って、携帯電話２を閉状態にすると、磁石４１と開閉検出用センサ４２とは近接し、開閉検出用センサ４２の配置位置における磁界は強くなり、携帯電話２を閉状態にすると、磁石４１と開閉検出用センサ４２とは離間し、開閉検出用センサ４２の配置位置における磁界は弱くなる。従って、開閉検出用センサ４２により検出される磁界の強さが所定の閾値よりも大きいか否かにより、開閉検出（閉状態の検出）を行うことができる。
なお、開閉検出用センサ４２は、検出した磁界の強さが所定の閾値よりも大きいか否かに応じてオン信号又はオフ信号を出力するように構成されていてもよい。
【００３０】
一方、相手装置であるクレードル装置３は、筐体１８と、クレードル装置３に電力を供給するためのコード１９と、クレードル装置３と携帯電話２とを電気的に接続するための被制御部５０（図４）を備えている。
【００３１】
筐体１８は、例えば、机上などに載置される下部カバー１８ａと、下部カバー１８ａに被せられる上部カバー１８ｂとを備えている。
下部カバー１８ａ及び上部カバー１８ｂは例えば誦しにより形成されている。上部カバー１８ｂは、筐体１８が載置される面に対して傾斜するように下部カバー１８ａに被せられており、筐体１８は、載置される面（机面等）に対して傾斜する傾斜面１８ｃを有する台形状に形成されている。
【００３２】
筐体１８の上面には、携帯電話２を載置するための凹部（載置部）２５が形成されている。凹部２５は、傾斜面１８ｃの下方側に設けられている。
凹部２５は、携帯電話２の送話筐体６が嵌合する形状（図示省略するが凹部２５の両端に瓜部が形成されて送話筐体６の連結部７側及びマイクロフォン３５側に形成される凸部に係合する形状となっている）に形成されるとともに、送話筐体６の背面６ａが当接する載置面（凹部２５の底部）１８ｄが、クレードル装置３が載置される面（机面等）に対して傾斜するように形成されている。
携帯電話２は、連結部７側を傾斜面１８ｃ上方側に向けて、送話筐体６が凹部２５に嵌合挿入されることにより、クレードル装置３に載置される。
【００３３】
なお、送話筐体６の背面６ａは、携帯筐体の所定面の一例である。送話筐体６がクレードル装置３の凹部２５に嵌合挿入されているときの送話筐体６及びクレードル装置３の筐体１８の位置関係は、所定の位置関係の一例である。
【００３４】
図３（ａ）および図３（ｂ）に示すように、凹部２５の深さは送話筐体６の厚さと略同等又はそれ以下である。従って、送話筐体６を凹部２５に嵌合させた状態で、受話筐体５を開閉方向へ移動させても、傾斜面１８ｃの凹部２５周縁は受話筐体５に当接しない。すなわち、携帯電話２は、クレードル装置３の載置した状態で開閉可能である。
したがって、携帯電話２は、クレードル装置３に載置したまま、使用状態に応じて開状態又は閉状態とすることができる。例えばムービー再生など表示部９に画像を表示させる場合には開状態とし、充電のみを行う場合や音楽再生を行う場合には閉状態とすることができる。
【００３５】
コード１９は、筐体１８から延出しており、その先端には、不図示の電源プラグが設けられている。電源プラグが、商用周波数の電力を供給するための電源レセプタクルに挿入されることにより、コード１９を介してクレードル装置３に電力が供給される。
【００３６】
充電端子２０、２１は、凹部２５の底部から突出するように設けられており、携帯電話２を凹部２５に嵌合挿入すると、携帯電話２の送話筐体６の凹部２５に対向する面に設けられた充電端子３７（図４参照）に当接して接続される。
【００３７】
図４は、携帯電話２およびクレードル装置３から成る携帯電話ユニット１の信号処理系の構成を示すブロック図である。
【００３８】
携帯電話２は、制御部３１と、通信処理部３２と、音響処理部３３と、画像処理部４５と、充電回路３４と、電池パック３８と、クレードルインタフェース部６０とを備えている。なお、音響処理部３３は音響出力部の一例である。携帯電話２は、この他にも、複数のＧＰＳ（global Positioning System）衛星から送出されるＧＰＳ信号を受信して処理し、現在地の地理的位置を割り出し、現在地周辺の地図データをディスプレイに表示させるＧＰＳ処理部等を有するが、図示は省略する。
【００３９】
制御部３１は、例えばＣＰＵ、ＲＯＭ、ＲＡＭ等を含んだＩＣチップにより構成されている。ＣＰＵはＲＯＭに記録されたプログラムを実行し、操作部１２、開閉検出用センサ４２等からの信号等に基づき、通信処理部３２、音響処理部３３、画像処理部４５、クレードルインタフェース部６０等の動作を制御する。
例えば、制御部３１は、開閉検出用センサ４２から検出した磁界の強さに応じた電位の信号が入力されると、当該信号に基づいて、検出された磁界の強さが所定の閾値よりも大きいか否か判定し、大きいときには閉状態であると判定し、そうでないときには開状態であると判定する。
そして、制御部３１は、例えば、閉状態であると判定したときには表示部９による情報の表示を停止し、開状態であると判定したときには表示部９により情報の表示が実行されるように、画像処理部４５の動作を制御するなど、開閉状態に応じた処理を実行する。
【００４０】
制御部３１はまた、後述するように、携帯電話２がクレードル装置３に装着された場合に発生するクレードルインタフェース部６０（信号線Ａ）の電位変化に基づき、携帯電話２がクレードル装置３装着されたことを検出するとともに、クレードル装置３が有する被制御部５０の機能実行を制御する制御信号を生成し、当該制御信号に基づきクレードルインタフェース部６０（電圧制御部６０１）を制御して信号線Ａ（第２の信号線）の電位をクレードル装置３が内蔵する被制御部５０の機能実行を制御する電位に変化させる機能を有する。詳細は後述する。
【００４１】
通信処理部３２は、高周波回路を含んで構成され、電波を利用した無線通信を行う。具体的には、通信処理部３２は、制御部３１等で処理された音響データ、画像データ等の各種データを変調して、メインアンテナ１３を介して送信する。
また、通信処理部３２は、メインアンテナ１３及びサブアンテナ１４を介して受信した信号を復調して制御部３１等に出力する。
【００４２】
音響処理部３３は、マイクロフォン３５からの音響信号を制御部３１に出力する。制御部３１に出力された音響信号は通信処理部３２を介して送信される。
また、音響処理部３３は、通信処理部３２により受信されて制御部３１から出力された通話音声の音響信号、外部記憶装置に記憶された楽曲データに基づく音響信号等をミキシング、増幅するなどして、通話用のスピーカ３９、報知等に利用されるスピーカ１５に出力する。
【００４３】
画像処理部４５は、制御部３１からの映像データを映像信号に変換して表示部９に出力する。例えば、制御部３１は、ＧＰＳ信号に基づいて特定された現在地の地図データをサーバからダウンロードするとともに、例えば、地磁気センサ等の検出結果に基づいて特定される現在の携帯電話２の向き（方位）に応じて地図データの座標交換を行い、座標交換後の地図データを画像処理部４５に出力して表示させる。ただし、座標変換等の作業は画像処理部４５が分担してもよい。
【００４４】
充電回路３４は、充電端子３７に供給された電力を適宜な電圧の電力に変換して、携帯電話２の電源としての電池パック３８に供給する。また、電池パック３８の充電状態等に応じて電池パック３８への充電（電力供給）を開始し、あるいは充電の中断を行う。
【００４５】
一方、クレードル装置３は、充電器（ＡＣコンバータ）５４の他に、クレードル装置３に付加された機能の実行が制御される被制御部５０と、電源Ｖｂにプルアップ抵抗Ｒｂを介して接続された信号線Ｂ（第１の信号線）とにより構成される。
ここで、被制御部５０とは、例えば、オーディオアンプやＬＥＤ（Light Emitted Diode）等、携帯電話２により制御される機能回路のことをいう。
なお、充電器５４は、コード１９（図１、図２）を介して供給された商用周波数の交流電流を適宜な電圧の直流電流に変換して充電端子２０、２１に出力するものである。
【００４６】
以下、携帯電話２とクレードル装置３との接続部分についての詳細説明を行う。
すなわち、携帯電話２は、クレードルインタフェース部６０を備え、信号線Ａ（第２の信号線）の対ＧＮＤに、抵抗Ｒａが接続されている。
ここで、信号線Ａに、電圧Ｖａが印加された場合（ここではＧＮＤレベル）、制御部３１は、携帯電話２がクレードル装置３に装着されていないと判定するものとする。クレードルインタフェース部６０は、更に、電圧制御部６０１を有する。
電圧制御部６０１は、上記した信号線Ａに接続され、制御部３１により制御されることにより、信号線Ａにかかる電圧を変化（ここでは反転させる）、トランジスタ等により構成されるスイッチ回路である。
【００４７】
一方、クレードル装置３側では、信号線Ｂ（第１の信号線）の対電源に抵抗Ｒｂが接続されている。ここで、信号線Ｂにある電圧（Ｖｂ）が印加されると、クレードル装置３が有する被制御部５０の動作はＯＦＦされる。
【００４８】
図５に、携帯電話２がクレードル装置３に装着された場合の制御部３１の動作がフローチャートで示されている。
以下、図５のフローチャートを参照しながら、本発明の実施の形態に係る電子機器の動作について詳細に説明する。
【００４９】
まず、携帯電話２がクレードル装置３に装着されたものとし（ステップＳ５１“Ｙｅｓ”）、このことにより、携帯電話２側の信号線Ａと、クレードル装置３側の信号線Ｂとが、その接点、Ａ、Ｂを介して短絡する。
そのときの信号線Ａ、信号線Ｂにかかる電圧（Ｖａｂ）は、ＲａとＲｂとの抵抗比によって決まるため、Ｖａｂ＝｛Ｒａ／（Ｒａ＋Ｒｂ）｝＊Ｖｂ［Ｖ］になる。
このとき、携帯電話２側では、制御部３１が不図示のポート（アナログ／デジタル変化）を介して信号線Ａの電圧を検知する（ステップＳ５２）。
ここで、信号線Ａにかかる電圧は、Ｖａ［Ｖ］からＶａｂ［Ｖ］に変化したことがわかるため（ステップＳ５３“Ｙｅｓ”）、制御部３１は、クレードル装置３に携帯電話２が装着されたと判定することができる（ステップＳ５４）。
【００５０】
次に、制御部３１は、信号線Ａにかかる電圧が変化したことから、電圧制御部６０１を制御して、信号線Ａにかかる電圧を、Ｖａｂ［Ｖ］からクレードル装置３の被制御部５０が持つ機能をＯＮするために必要な閾値電圧まで変化させる（ステップＳ５５）。
このことにより、クレードル装置３側では、信号線Ｂにかかる電圧を、Ｖａｂ［Ｖ］から機能回路がＯＮする例えばＧＮＤレベルの閾値電圧に変化させることができ、このため、被制御部５０を動作させることができる。すなわち、被制御部５０がオーディオアンプで構成された場合は音楽を出力し、ＬＥＤであれば点灯させることができる。また、充電器であれば、充電器５４を介して電池パック３８の充電を開始させることができる。
【００５１】
以上説明のように本発明の実施の形態に係る電子機器によれば、信号線１本（信号線Ａ）で相手装置（クレードル装置３）との装着を検知し、かつ、クレードル装置３が有する被制御部５０による機能の実行を制御することができ、したがって、独立したそれぞれの制御線を用いて制御していた従来例に比べて部品点数の削減、基板の実装面積に占める接点数の削減、および信頼性の向上をはかることができる。
【００５２】
なお、上記した本発明の実施の形態に係る電子機器によれば、電子機器として、携帯電話２のみ例示したが、携帯電話２に限らず、ＰＤＡ（Personal Digital Assistants）、ゲーム機、ＰＣ等にも同様に適用が可能である。また、相手装置として、クレードル装置３のみ例示したが、装着される電子機器の機能を拡張する意味で用意される拡張装置等についても同様に適用が可能である。
【図面の簡単な説明】
【００５３】
【図１】本発明の実施形態にかかわる電子機器と、相手装置とからなる電子機器ユニットを示す、一部に透視図を含む平面図である。
【図２】電子機器を相手装置３に装着した状態を示す、一部に透視図を含む平面図である。
【図３】電子機器を相手装置に装着した状態を示す、一部に透視図を含む側面図である。
【図４】本発明の実施形態にかかわる電子機器と、相手装置とからなる電子機器ユニットの信号処理系の構成を示すブロック図である。
【図５】本発明の実施の形態に係る電子機器（制御部）の動作を示すフローチャートである。
【符号の説明】
【００５４】
１…携帯電話ユニット、２…携帯電話（電子機器）、３…クレードル装置（相手装置）、３１…制御部、５０…被制御部、５４…充電器、６０…クレードルインタフェース、６０１…電圧制御部。
【図１】
2008301008.tif 000003
【図２】
2008301008.tif 000004
【図３】
2008301008.tif 000005
【図４】
2008301008.tif 000006
【図５】
2008301008.tif 000007